(57)【要約】      （修正有）【課題】テーブルやロッカーを一体として仕切兼用床頭台とカーテン等の他の仕切部材とを密着させ、ベッド周りの準個室化を構成する進退可能な間仕切を備えた仕切兼用床頭台を提供する。【解決手段】隣り合うベッドの間に配置する細長い枠体２を有し両側の広い側面がベッドに面する仕切兼用床頭台１であって、中段には中央部の中央仕切板を隔てて両側にテーブル部３２を配置し、下段には互いに開口前面と閉鎖した閉鎖背面を設けた区分室３３を設けて、それぞれの区分室は開口前面側に扉が開く冷蔵庫７を収納できるようにし、枠体２の長手方向の一端には互いに反対方向に仕切板４３を収納する収納部４４を設けるとともに、仕切板４３はほぼ枠体２の巾にして、仕切板４３が収納部４４に収納された場合には両側面には大きな凸部を無くし、仕切板４４を引き出した場合には仕切板４４とカーテンの端部とでベッドを覆う進退可能な間仕切を備えた仕切兼用床頭台１。【選択図】図１
2014045934.tif 000002
【特許請求の範囲】
【請求項１】
隣り合うベッドの間に配置する細長い枠体を有し両側の広い側面がベッドに面するようにした仕切兼用床頭台であって、
中段には中央部の中央仕切板を隔てて両側にテーブル部を配置し、
下段には互いに開口前面と閉鎖した閉鎖背面を設けた区分室を設けて、それぞれの区分室は開口前面側に扉が開く冷蔵庫を収納できるようにし、
枠体の長手方向の一端には互いに反対方向に仕切板を収納する収納部を設けるとともに、該各収納部から引き出せる一対の仕切板を設け、
該仕切板はほぼ枠体の巾にして、該仕切板が収納部に収納された場合には両側面には大きな凸部を無くし、該仕切板を引き出した場合には該仕切板とカーテンの端部とでベッドを覆うようにすることを特徴とする進退可能な間仕切を備えた仕切兼用床頭台。
【請求項２】
前記細長い枠体の長手方向の長さは、ベッドの長さとほぼ等しいか又は若干長くしたことを特徴とする請求項１に記載の進退可能な間仕切を備えた仕切兼用床頭台。
【請求項３】
前記テーブル部にはテレビを配置したことを特徴とする請求項１又は２に記載の進退可能な間仕切を備えた仕切兼用床頭台。
【請求項４】
前記収納部と並べてロッカー部を設けたことを特徴とする請求項１又は２又は３に記載の進退可能な間仕切を備えた仕切兼用床頭台。
【請求項５】
前記仕切板の底部にはキャスターを設けるとともに、仕切板の引出把持部にはキャスターのロック及び解除操作部を配置したことを特徴とする請求項１又は２又は３又は４に記載の進退可能な間仕切を備えた仕切兼用床頭台。
【発明の詳細な説明】
【技術分野】
【０００１】
本発明は、病院の隣り合うベッドの間に配置する進退可能な間仕切を備えた仕切兼用床頭台に関するものである。
【背景技術】
【０００２】
従来より、病院や介護施設等では各部屋に複数のベッドを配置される場合に、各ベッドのそれぞれにテレビや冷蔵庫を配置した床頭台が配置されるが、この床頭台を兼ねた病院家具を隣り合うベッドの仕切部材としたものも、例えば、特許文献１に示すように提案されている。
また、病院や介護施設等では大部屋の複数のベッドをそれぞれ隔離して準個室化にするためカーテンで仕切ることも行われているが、カーテンではなく、室内の壁面に設ける病院家具において、前面とは直角方向にスライド式の仕切板を設け、隣り合うベッドを仕切板で仕切る装置も、例えば、特許文献２に示すように提案されている。
なお、床頭台等の病院家具の移動にキャスターを設け、このキャスターを一括してロック及び解除する操作システムは、本発明者らが特許文献３として提案している。
【先行技術文献】
【特許文献】
【０００３】
【特許文献１】特開２００６−１８１３３７号公報
【特許文献２】特開２００７−３１９１８６号公報
【特許文献３】特開２０１０−８８４９０号公報
【発明の概要】
【発明が解決しようとする課題】
【０００４】
ところで、病院や介護施設等において、近時、複数のベッド周りをそれぞれカーテンで隔離して準個室化にすることが多くなっているが、ベッド周りにはテレビや冷蔵庫を備えた床頭台やロッカーは必要であって、狭い病室で多くの場所を占用してしまい、準個室化をするためには障害になるといった問題点があった。
また、前掲特許文献１のように、隣り合うベッドの間にロッカーや机を仕切装置と兼用させて配置することが提案されているが、この仕切装置と既存のカーテン装置との間に隙間が生じてしまうことが多く、ベッド内を通路から完全に隠すことができないといった問題点があった。
【０００５】
本発明の課題は、テーブルやロッカーを一体として仕切兼用床頭台とするとともに、該仕切兼用床頭台とカーテン等の他の仕切部材とを密着させるようにして、ベッドの準個室化を構成するようにする進退可能な間仕切を備えた仕切兼用床頭台を提供しようとするものである。
【課題を解決するための手段】
【０００６】
上記課題を解決するために、請求項１の発明は、隣り合うベッドの間に配置する細長い枠体を有し両側の広い側面がベッドに面するようにした仕切兼用床頭台であって、中段には中央部の中央仕切板を隔てて両側にテーブル部を配置し、下段には互いに開口前面と閉鎖した閉鎖背面を設けた区分室を設けて、それぞれの区分室は開口前面側に扉が開く冷蔵庫を収納できるようにし、枠体の長手方向の一端には互いに反対方向に仕切板を収納する収納部を設けるとともに、該各収納部から引き出せる一対の仕切板を設け、該仕切板はほぼ枠体の巾にして、該仕切板が収納部に収納された場合には両側面には大きな凸部を無くし、該仕切板を引き出した場合には該仕切板とカーテンの端部とでベッドを覆うようにすることを特徴とする進退可能な間仕切を備えた仕切兼用床頭台である。
【０００７】
請求項２の発明は、請求項１に記載の進退可能な間仕切を備えた仕切兼用床頭台において、前記細長い枠体の長手方向の長さは、ベッドの長さとほぼ等しいか又は若干長くしたことを特徴とする。
請求項３の発明は、請求項１又は２に記載の進退可能な間仕切を備えた仕切兼用床頭台において、前記テーブル部にはテレビを配置したことを特徴とする。
請求項４の発明は、請求項１又は２又は３に記載の進退可能な間仕切を備えた仕切兼用床頭台において、前記収納部と並べてロッカー部を設けたことを特徴とする。
請求項５の発明は、請求項１又は２又は３又に記載の進退可能な間仕切を備えた仕切兼用床頭台において、前記仕切板の底部にはキャスターを設けるとともに、仕切板の引出把持部にはキャスターのロック及び解除操作部を配置したことを特徴する。
【発明の効果】
【０００８】
本発明の進退可能な間仕切を備えた仕切兼用床頭台によれば、テーブルやロッカーを一体として仕切兼用床頭台としたので、スペース的に有利であり、仕切兼用床頭台の仕切板を引き出してカーテン等の他の仕切部材の端部とを密着させることができ、ベッド周りの準個室化を構成できる。
また、仕切兼用床頭台の細長い枠体の長さは、ベッドの長さと同じか若干長いので、ベッド間の仕切板として機能する他に、隣り合うベッドを使用者にたいするテレビや冷蔵庫を配置できるので、無駄なスペースが無くなくなる。
また、仕切板自体もコンパクトに収納でき、底部にはキャスターとキャスターのロック及び解除操作部を配置したので、仕切板の移動が極めて容易となり、所定位置での固定も簡単になる。
【図面の簡単な説明】
【０００９】
【図１】本発明の仕切兼用床頭台の仕切板を引き出した状態の全体の左側から斜視図、
【図２】図１の仕切板を収納した状態の全体の左側から斜視図、
【図３】図１の仕切兼用床頭台を病室に配置した平面図
【図４】図３の仕切兼用床頭台でベッド及びテレビを除き、仕切板を収納した平面図、
【図５】本発明の仕切兼用床頭台の左側から正面図
【図６】図５の一対の仕切板を引き出した状態の右側面図、
【図７】図５の一対の仕切板を収納部に収納した状態の右側面図、
【図８】本発明の仕切兼用床頭台の底面図である。
【発明を実施するための形態】
【００１０】
本発明は、進退可能な間仕切を備えた仕切兼用床頭台の実施例を図面に沿って以下に説明する。
【実施例】
【００１１】
図１は仕切兼用床頭台１で両側の仕切板４３を引き出した状態の全体のベッドＢ２(図３)側から見た左上方からの斜視図であり、図２は仕切板４３を収納部４４に収納した状態の全体の斜視図であり、図３は仕切兼用床頭台１を病室の壁Ａ側に配置した平面図である。
図３に示すように、仕切兼用床頭台１の枠体２の全体の長手方向の長さは、平行して配置させるベッドＢ１、Ｂ２の長さとほぼ同じかそれより長く、全体として細長く、図５、図６、図７に示すように、枠体２の全体の高さも人が立っても隣のベッドが見えない程度の高さであり、隣り合うベッドのＢ１、Ｂ２の間に配置させて仕切機能を持たせたものである。また、仕切兼用床頭台１の枠体２は、床頭台部３とロッカー部４と目隠し部５を結合部材で合体して細長い枠体２を構成している。
【００１２】
床頭台部３の上段の中央部には左右のベッドＢ１、Ｂ２を隔てる中央仕切板３１を設け、中段には左右のベッドＢ１、Ｂ２に向いたテーブル部３２を設け、テーブル部３２上にはそれぞれのベッドＢ１、Ｂ２に画面が向くようにしたテレビ６を取り付けている。
テーブル部３２の下段には区分室３３が設けられるが、テレビ(６)を取り除いた状態の平面図である図４の点線、及び図５に示すように、互いに開口前面３３Ａと閉鎖した閉鎖背面３３Ｂを設けた１対の区分室３３を設けて、それぞれの区分室３３の上部には引出３３１を設け、下部には開口前面３３Ａ側に扉７１が開く冷蔵庫７を収納できる冷蔵庫収納部３３２を設けており、閉鎖背面３３Ｂには冷蔵庫７等の熱を排気する排気グリル３３３が設けられている。
また、図８に示すように、床頭台部３の底面には４個のキャスター３４が設けられ、このキャスター３４のキャスターロック及び解除操作部３４１を適宜の位置に配置するが、本実施例では、目隠板５の中段位置に配置している。
なお、４個のキャスター３４はケーブルで繋がれ、例えば、特許文献３の開示されているキャスターを一括してロック及び解除する操作システムを用いればよい。
【００１３】
前記目隠板５は、図３に示すように、病室等の壁と仕切兼用床頭台１との間を塞ぐ目隠機能を有するもので、仕切兼用床頭台１を設置する場所に応じて適宜の巾Ｄ１の目隠板５を選択して床頭台部３及び中央の中央仕切板３１に接続固定するものであり、図８に示すように、目隠板５の底面には移動時に機能するキャスター５１が設けられている。
【００１４】
この床頭台部３の目隠板５とは反対側には、ロッカー部４が接続されている。
このロッカー部４は、図３、図４で点線に示すように、ベッドＢ１とベッドＢ２にそれぞれ開口する枠体２の巾Ｄ１の奥行きのあるロッカー４１、４２が設けられ、区分室３３と同様に、それぞれ開口前面４１Ａ、４２Ａと閉鎖した閉鎖背面４１Ｂ、４２Ｂを設けられ、ベッドＢ１,Ｂ２に向かってそれぞれロッカー４１,４２の扉４１１,４２１の扉が設けられ、これらロッカー部４の高さは枠体２の高さとほぼ同じである。なお、ロッカー４１,４２や収納部４４が余り高くない場合には上部仕切板４７が設けてある。
枠体２の長手方向の一端でありロッカー部４の端部には、図３、図４で点線に示すように、互いに反対方向に仕切板４３を収納する収納部４４が設けられている。そして、この仕切板４３は進退可能な間仕切を構成し、それぞれの仕切板４３の先端部には把持部兼キャスターロック及び解除操作部４３１が設けられ、仕切板４３を引き出した場合には仕切板４３とカーテンＫの端部Ｋ１とでベッドＢ１、Ｂ２を覆うようにすることができる。なお、本発明での「カーテンＫの端部Ｋ１」とは、単にカーテンと限るものではなく、カーテンと同じ機能を仕切装置を意味する。
【００１５】
また、仕切兼用床頭台１の巾Ｄ１は、両側にテレビ６や下部に冷蔵庫７を収納することから従来の床頭台の巾Ｄ１と同じになるので、収納部４４の深さ、及び、収納する仕切板４３の巾も従来の床頭台の巾Ｄ１と同じにしてあるので、仕切板４３が収納部４４に収納された場合には仕切兼用床頭台１の両側面には大きな凸部を無くし、使用者もスムーズに移動でき、ベッドＢ１、Ｂ２と仕切兼用床頭台１との間が極端に狭くなることもない。
ロッカー部４の底部には、図８に示すように、固定側に一対のキャスター４５とそれぞれの仕切板４３の底部に一対のキャスター４６が設けられ、仕切板４３の開閉移動が容易となり、仕切板４３の把持部兼キャスターロック及び解除操作部４３１(図３、図５参照)を配置したので、キャスター４６のロック及び解除操作部が簡単となり、仕切板４３の引出及び収納の際の移動とが簡単になる。  
【００１６】
以上説明したように、本発明の実施例の進退可能な間仕切を備えた仕切兼用床頭台によれば、テーブルやロッカーを一体として仕切兼用床頭台にしたので、スペース的に有利であり、仕切兼用床頭台の仕切板を引き出してカーテン等の他の仕切部材の端部とを密着させることができ、ベッドの準個室化を構成できる。
また、仕切兼用床頭台の細長い枠体の長さは、ベッドの長さと同じか若干長いので、ベッド間の仕切板として機能する他に、隣り合うベッドの使用者に対するテレビや冷蔵庫を配置できるので、無駄なスペースが無くなる。
また、仕切板自体もコンパクトに収納でき、底部にはキャスターとキャスターのロック及び解除操作部を配置したので、仕切板の移動が極めて容易となり、所定位置での固定も簡単になる。
なお、本発明の特徴を損なうものでなければ、上記の実施例に限定されるものでないことは勿論である。例えば、キャスター操作レバーをテーブルの左右の両側部又は底部としたが、テーブルの上面でなければ、操作しやすい複数の箇所にもうければよい。
【符号の説明】
【００１７】
Ａ・・病室の壁、Ｂ１,Ｂ２・・ベッド、
Ｄ１・・仕切兼用床頭台の巾、Ｄ２・・目隠し部の巾
Ｋ・・カーテン、Ｋ１・・端部、
１・・仕切兼用床頭台、
２・・枠体、
３・・床頭台部、３１・・中央仕切板、３２・・テーブル部、
３３・・区分室、３３Ａ・・開口前面、３３Ｂ・・閉鎖背面、
３３１・・引出、３３２・・冷蔵庫収納部、
３３３・・排気グリル、３４・・キャスター、
３４１・・キャスターロック及び解除操作部、
４・・ロッカー部、４１,４２・・ロッカー、４１１，４２１・・扉
４１Ａ,４２Ａ・・開口前面、４１Ｂ,４２Ｂ・・閉鎖背面、
４３・・仕切板、４３１・・把持部兼キャスターロック及び解除操作部
４４・・収納部、
４５,４６・・キャスター、４７・・上部仕切板、
５・・目隠し部、５１・・キャスター
６・・テレビ、
７・・冷蔵庫、７１・・扉、  
【図１】
2014045934.tif 000003
【図２】
2014045934.tif 000004
【図３】
2014045934.tif 000005
【図４】
2014045934.tif 000006
【図５】
2014045934.tif 000007
【図６】
2014045934.tif 000008
【図７】
2014045934.tif 000009
【図８】
2014045934.tif 000010